(57)【要約】【課題】ソレノイドの作動力を確実に伝達し、且つ、ソレノイドを瞬間的に励磁するだけで前扉を開閉することができるパチンコ機の入賞装置を提供する。【解決手段】玉を入賞口１から受入れる筐体２と、該筐体２の側壁２８に軸着されて入賞口１を開閉する前扉３と、前扉３を回動するプランジャ式ソレノイド４とからなる入賞装置において、外周面にカム曲線５が形成された円柱体６をプランジャ４１の先端に装着するとともに、筐体２には前記カム曲線５に係合する接触子７を突設して、プランジャ４１を吸引、突出させて円柱体６をカム曲線５に従って回転しつつ前後動させることにより、円柱体６が前扉３下部の係合突片３２を押圧して前扉３を回動させる。【選択図】    図３
2004337522.tif 000002
【特許請求の範囲】
【請求項１】
玉を入賞口から受入れる筐体と、該筐体の側壁に軸着されて入賞口を開閉する前扉と、該前扉を回動させるプランジャ式ソレノイドとからなるパチンコ機の入賞装置において、外周面にカム曲線が形成された円柱体をプランジャの先端に装着するとともに、前記筐体には前記カム曲線に係合する接触子を突設して、プランジャを吸引、突出させることにより、前記円柱体がカム曲線に従って回転されながら前後に移動して、前記円柱体が前記前扉を回動するようにしたことを特徴とするパチンコ機の入賞装置。
【請求項２】
玉を入賞口から受入れる筐体と、該筐体の側壁に軸着されて入賞口を開閉する前扉と、該前扉を回動させるプランジャ式ソレノイドとからなるパチンコ機の入賞装置において、外周面に接触子が形成された円柱体をプランジャの先端に装着するとともに、前記筐体には前記接触子と係合するカム曲線が内周面に形成された筒状部を設けて、プランジャを吸引、突出させることにより、前記円柱体がカム曲線に従って回転されながら前後に移動して、前記円柱体が前記前扉を回動するようにしたことを特徴とするパチンコ機の入賞装置。
【請求項３】
カム曲線は複数の山部と谷部とからなり、谷部のうちの少なくとも一つを最も深く形成して、接触子がこの谷部に位置する時に円柱体先端が前記前扉の端部を押圧するようにしたことを特徴とする請求項１又は２に記載のパチンコ機の入賞装置。
【請求項４】
円柱体の先端面に突起部を設けて、この突起部により前記前扉の端部を押圧するようにした請求項１〜３の何れかに記載のパチンコ機の入賞装置。
【請求項５】
突起部は、円柱体の先端面の中心から外周に向けて形成した山の稜線である請求項４に記載のパチンコ機の入賞装置。
【請求項６】
山の稜線の両サイドに傾斜面を設けて、円柱体の回転角度に従って玉の流下方向を円柱体の右側又は左側に振り分けるようにした請求項５に記載のパチンコ機の入賞装置。
【請求項７】
カム曲線を凹溝状のものとし、凹溝の対向する両側面の山部及び谷部の位置を相対的にずらして、円柱体が一方向にのみ回転するようにした請求項１〜６の何れかに記載のパチンコ機の入賞装置。
【発明の詳細な説明】
【０００１】
【発明の属する技術分野】
本発明は、遊技盤面に設けられて玉を入賞させるパチンコ機の入賞装置に関するものである。
【０００２】
【従来の技術】
パチンコ機の遊技盤には、遊技が特定状態になった時に玉を入賞させるための入賞装置が配設されている。この入賞装置として、例えば特開２００１−３７９８９号公報には、本図９に示すようなものが開示されている。この入賞装置は、入賞口９１を開閉する前扉９２を備えた筐体９３と、前扉９２を回動する回動レバー９４と、回動レバー９４を作動させるソレノイド９５とからなる。前扉９２は、支軸９６により筐体９３に軸着され、前扉９２に対しておおよそ直角の方向にアーム９７が延設されている。ソレノイド９５はバネ９８が装着されたプランジャ９９を備えている。プランジャ９９と前扉９２のアーム９７との間には回動レバー９４が軸１００により枢着され介装されている。通常はプランジャ９９はバネ９８の反発力によりソレノイド９５から突出し回動レバー９４の後端１０１を押し上げて、回動レバー９４の前端１０２がアーム９７を押し下げているので、前扉９２は上方に回動されて入賞口９１を閉鎖している。そして、遊技が大当たりなどの特定状態となった時には、鉄製のビスなどが埋め込まれた回動レバー９４の後端１０１をプランジャ９９が下方に引きつけ、その前端１０２を上方に回動するので、アーム９７の押圧が解除されて前扉９２は自重により前方に回動する。これによって入賞口９１が開放されるので、前扉９２は落下してきた玉を受け止めて入賞口９１から筐体９３内に賞玉として取り込むことができる。
【０００３】
【特許文献１】特開２００１‐３７９８９号公報（図１）
【０００４】
上記したように、従来のパチンコ機の入賞装置はレバーを介して前扉を開閉するものであったので、ソレノイドの作動力が正確に伝達されず前扉の開閉が不正確になることがあった。また、前扉の開放時には常にソレノイドを励磁しておくか、或いは逆に前扉の閉鎖時にソレノイドを常に励磁させておく必要のあるものであったので、ソレノイドから多量の熱が発生し、また電気エネルギーを無駄に消費するという問題があった。
【０００５】
【発明が解決しようとする課題】
本発明は上記した従来の問題点を解決し、ソレノイドの作動力を確実に伝達し、且つ、ソレノイドを瞬間的に励磁させるだけで前扉を開放状態又は閉鎖状態に維持することができるパチンコ機の入賞装置を提供することを課題とする。また、この入賞装置に玉の振分け機能を持たせて、前扉の開閉と玉入賞口への玉の振分けとを一つの装置で行うことができるパチンコ機の入賞装置を提供することを課題とする。
【０００６】
【課題を解決するための手段】上記の課題を解決するためになされた本発明は、玉を入賞口から受入れる筐体と、該筐体の側壁に軸着されて入賞口を開閉する前扉と、該前扉を回動させるプランジャ式ソレノイドとからなるパチンコ機の入賞装置において、外周面にカム曲線が形成された円柱体をプランジャの先端に装着するとともに、前記筐体には前記カム曲線に係合する接触子を突設して、プランジャを吸引、突出させることにより、前記円柱体がカム曲線に従って回転されながら前後に移動して、前記円柱体が前記前扉を回動するようにしたことを特徴とするパチンコ機の入賞装置である。
【０００７】
また、本発明は、玉を入賞口から受入れる筐体と、該筐体の側壁に軸着されて入賞口を開閉する前扉と、該前扉を回動させるプランジャ式ソレノイドとからなるパチンコ機の入賞装置において、外周面に接触子が形成された円柱体をプランジャの先端に装着するとともに、前記筐体には前記接触子と係合するカム曲線が内周面に形成された筒状部を設けて、プランジャを吸引、突出させることにより、前記円柱体がカム曲線に従って回転されながら前後に移動して、前記円柱体が前記前扉を回動するようにしたことを特徴とするパチンコ機の入賞装置である。
【０００８】
なお、カム曲線は複数の山部と谷部とからなり、谷部のうちの少なくとも一つを最も深く形成して、接触子がこの谷部に位置する時に円柱体先端が前記前扉の端部を押圧するようにすることができるし、円柱体の先端面に突起部を設けて、この突起部により前記前扉の端部を押圧するようにすることもできる。また、突起部は、円柱体の先端面の中心から外周に向けて形成した山の稜線とすることができ、この山の稜線の両サイドに傾斜面を設けて、円柱体の回転角度に従って玉の流下方向を円柱体の右側又は左側に振り分けるようにすることができる。さらに、カム曲線を凹溝状のものとし、凹溝の対向する両側面の山部及び谷部の位置を相対的にずらして、円柱体が一方向にのみ回転するようにしてもよい。
【０００９】
【発明の実施の形態】
以下に図面を参照しつつ本発明の好ましい実施形態を説明する。
図１は本発明に係る入賞装置の分解斜視図、図２〜４は入賞装置の要部構成を示す図であって、この入賞装置は、玉を入賞口１から受入れる筐体２と、入賞口１を開閉する前扉３と、前扉３を回動するプランジャ式ソレノイド４とを備えている。ここで、筐体２は中央の筐体主部２１と、入賞口１が形成された入賞口部材２２と、天井部材２３とにより構成される。前扉３は筐体主部２１の側壁２８にその支軸３１が軸着されており、その下端にはプランジャ式ソレノイド４によって押圧される前扉３の一部として係合突片３２が突設されている。
【００１０】
筐体主部２１の内部には仕切り板２４によって、ソレノイド４の取り付け部２５と、その左右に玉通路２６ａ、２６ｂが形成されており、玉通路２６ａ、２６ｂの裏側には玉計数装置８１が装着されているので、入賞した玉を玉通路２６ａ、２６ｂの底に設けた穴を通過させて計数することができる。
【００１１】
前扉３の後方にはプランジャ４１を備えたソレノイド４が配置されていて、プランジャ４１の先端にはカム曲線５が外周面に形成された円柱体６（円筒カム）が嵌め込まれている。そして、プランジャ４１にはバネ４２が挿着されているので、ソレノイド４の非励磁状態においてプランジャ４１はソレノイド４から前扉３に向けて前方に付勢されている。そして、筐体主部２１の下部には上方に向けて接触子７が突設されており、この接触子７はカム曲線５と係合する。
【００１２】
円柱体６は、上端外縁が略チューリップ形状に形成された下側部材６２と、下端外縁がチューリップに対応する形状の山谷に形成された上側部材６１とにより構成されている。円柱体６のプランジャ４１への組付けに当っては、下側部材６２の中心孔６２ａにプランジャ４１を差し込んだうえに上側部材６１を下側部材６２に嵌合することによって、対応するチューリップ形状によりカム曲線５を形成して円柱体６を組付けることができる。
【００１３】
円柱体６の詳細を図５〜７に示すが、前記したように下側部材６２は上端の外周縁が山谷のあるチューリップ形状に形成されており、一方、上側部材６１の下端の外周縁にはそのチューリップに対応する形状に山谷が形成されている。そして、下側部材６２と上側部材６１とを嵌合することにより複数の山部５１と谷部５２とからなる凹溝状のカム曲線５を円柱体６の外周面に形成することができる。そして、図８に示すように凹溝の対向する両側面の山部５１及び谷部５２の位置を相対的にずらしてカム曲線５が形成してある。図では上側部材６１の山部５１は下側部材６２の山部５１より下に、上側部材６１の谷部５２は下側部材６２の谷部５２より上にずらしてあるので、接触子７は図中を上から下に進行する。接触子７は固定されたものであるので、プランジャ４１の吸引、突出により円柱体６は下から上の方向に回転することになる。
【００１４】
そして、谷部５２のうちの一つの谷部５２ａを最も深く形成してある。すなわち、山部５１との距離を最も長く形成してあるので、接触子７がこの谷部５２ａに位置する時には、円柱体６は最も前方に前扉３側に押し出されることとなる。円柱体６の先端面には、図５、６に示すように、その中心から外周に向かう山の稜線６４と、稜線６４の左傾斜面６５ａと右傾斜面６５ｂと、平坦面６６とが形成されており、その稜線６４が前扉３下端の係合突片３２を押圧するので、自重により前傾していた前扉３は起立され入賞口１は閉鎖される。しかし、接触子７が通常の谷部５２にあるときには稜線６４は係合突片３２にまで到達することはできないので、前扉３を回動することはできない。
【００１５】
ソレノイド４の非励磁状態においては、バネ４２により円柱体６は前方に付勢されているので、接触子７は常に谷部５２又は５２ａに位置する。そして、ソレノイド４の一回励磁により接触子７は円柱体６を回転させつつ山部５１を一つ乗り越えて隣の谷部５２又は５２ａに移行する。接触子７が最も深い谷部５２ａに位置した時に、円柱体６は最も前方に突出して前扉３を起立させることができ、したがって入賞口１は閉鎖される。以上のようにソレノイド４を瞬間的に励磁するだけで、入賞口１を解放状態又は閉鎖状態に保持することができるので、電力を無駄に消費することがない。
【００１６】
図５は稜線６４が前扉３を押圧した状態から２４０度時計方向へ円柱体６が回転した状態である。左側斜面６５ａは円柱体６先端面の中心点Ｏと外周点ａを結ぶ稜線６４から外周点ｂにかけて低く傾斜しており、右側斜面６５ｂは稜線６４から外周点ｃにかけて低く傾斜している。従って、図示の状態では、前扉３の三分の２を占める斜線部領域３ａに達した玉を、左傾斜面６５ａの傾斜に従って円柱体６左側の玉通路２６ａに流下させることができる。又、前扉３を押圧した状態から１２０度時計方向へ回転した状態では、右よりの領域３ｂが前扉３の三分の２を占める状態となり、この場合は右傾斜面６５ｂの傾斜に従って玉を円柱体６の右側の玉通路２６ｂに流下させることができる。つまり、円柱体６を１２０度回転させる毎に、前扉閉鎖状態、玉通路２６ａに玉を流下しやすい状態、玉通路２６ｂに玉を流下しやすい状態とに変化を付けることができる。
【００１７】
なお、カム曲線５の谷部５２の深さを全て一定とした時、或いはカム曲線５を一つの山部５１と一つの谷部５２を有するものとした時には、谷部５２に接触子７がある時は常に円柱体６先端が係合突片３２を押圧するものとし、ソレノイド４が励磁されてプランジャ４１が吸引されて前記押圧が解除されている時のみ前扉３が開放されるようにすることもできる。
また、ソレノイド４は上記したようなプル形に限定されるものではなく、プッシュ形であってもよく、カム曲線４の山谷形状は当然にソレノイド４の形式に応じて前扉３が回動されるように形成される。
【００１８】
以上の実施形態においては、円柱体６にカム曲線５を形成し、筐体２に接触子７を突設したが、これとは逆に図９に示すように、円柱体６の外周側面に接触子７を突設し、筐体２には接触子７と係合するカム曲線５が内周面に形成された筒状部１０を設けることによっても、ソレノイド４の励磁によりプランジャ４１を吸引、突出させて円柱体４を回転させることができる。したがって、円柱体６の先端面に形成した稜線６４によりが係合突片３２を押圧して前扉３を回動することができる。
なお、円柱体６、筒状部１０に形成するカム曲線５は溝カムのほかリブカムとしても差し支えはないが、この場合にはリブを２つの接触子７により挟持するのが望ましい。また、突起部は稜線６４を有するものに限定されない。図１０には溝カム又はリブカムであるカム曲線５及び突起部８の形状例を示した。
【００１９】
【発明の効果】
以上に説明したように、本発明のパチンコ機の入賞装置は、玉を入賞口から受入れる筐体と、該筐体の側壁に軸着されて入賞口を開閉する前扉と、該前扉を回動させるプランジャ式ソレノイドとからなるパチンコ機の入賞装置において、外周面にカム曲線が形成された円柱体をプランジャの先端に装着するとともに、前記筐体には前記カム曲線に係合する接触子を突設したので、プランジャを吸引、突出させて円柱体をカム曲線に従って回転しつつ前後に移動させることによって、円柱体が前扉の端部を押圧して前扉を回動することができる。
また、円柱体の外周側面に接触子を突設し、筐体には接触子と係合するカム曲線が内周面に形成された筒状部を設けることによっても、プランジャを吸引、突出させて円柱体をカム曲線に従って回転しつつ前後に移動させることができる。
カム曲線の複数の谷部のうちの少なくとも一つを最も深く形成したり、円柱体先端面に突起部を設けたりしたので、ソレノイドを瞬間的に励磁してプランジャを吸引、突出させることにより円柱体を回転しつつ前後動させて、円柱体先端が前扉の端部を押圧することができる。また、突起部を、円柱体の先端面の中心から外周に向けて形成した山の稜線とし、この稜線の両サイドに傾斜面を設けたので、円柱体の回転角度に従って玉の流下方向を円柱体の右側又は左側に振り分けることができる。
したがって、本発明は、ソレノイドの作動力を確実に伝達して電力を浪費することがなく、且つ前扉の開閉と玉流下方向の振分けとを一つの装置で行うことができるものとして極めて大きな価値を有する。
【図面の簡単な説明】
【図１】本発明の入賞装置の分解斜視図である。
【図２】本発明の入賞装置の要部斜視図である。
【図３】本発明の入賞装置の要部側面図である。
【図４】本発明の入賞装置の要部平面図である。
【図５】円柱体が装着された入賞装置の要部平面図（ａ）と円柱体の先端の正面図（ｂ）である。
【図６】図５に示す円柱体が９０°回転された状態を示す平面図である。
【図７】カム曲線の展開図である。
【図８】従来の入賞装置の側面図である。
【図９】第２の実施形態の入賞装置の要部を示す正面図である。
【図１０】溝カム及びリブカムを例示する斜視図である。
【符号の説明】
１  入賞口
２  筐体
３  前扉
４  ソレノイド
５  カム曲線
６  円柱体
７  接触子
２８  筐体の側壁
３２  係合突片
４１  プランジャ
５１  カム曲線の山部
５２、５２ａ  カム曲線の谷部
【図１】
2004337522.tif 000003
【図２】
2004337522.tif 000004
【図３】
2004337522.tif 000005
【図４】
2004337522.tif 000006
【図５】
2004337522.tif 000007
【図６】
2004337522.tif 000008
【図７】
2004337522.tif 000009
【図８】
2004337522.tif 000010
【図９】
2004337522.tif 000011
【図１０】
2004337522.tif 000012